(57)【要約】【課題】非常に容易に且つ正確にＩＤ設定を行うことができ、使い勝手に優れたインターホン装置を提供する。【解決手段】インターホン親機２に増設インターホン親機３を増設する際、増設インターホン親機３において文字ａ１、ａ２・・の組み合わせを入力又は識別表示ｂ１、ｂ２・・を選択するだけで自身のＩＤを設定することができるとともに、当該ＩＤがインターホン親機２へ送信されて、インターホン親機２においても増設インターホン親機３を識別するためのＩＤ設定がなされることになる。したがって、増設インターホン親機側、及びインターホン親機側において夫々ＩＤを設定する作業が必要であった従来と比較して、増設インターホン親機３側でのみＩＤ設定を行えばよく、ＩＤ設定作業が非常に簡易となる。【選択図】図１
2010177803.tif 000002
【特許請求の範囲】
【請求項１】
玄関等に設置され、居住者を呼び出すためのインターホン子機と、居室内等に設置され、前記インターホン子機と通話可能に接続されたインターホン親機と、前記インターホン親機から直列又は並列に増設され、前記インターホン子機及び前記インターホン親機により呼び出し可能な増設インターホン親機とからなり、前記インターホン親機及び前記増設インターホン親機に、文字を表示可能な表示手段を設けたインターホン装置であって、
前記増設インターホン親機に、
前記文字を複数記憶する増設機記憶手段と、
前記表示手段に表示された複数の前記文字から任意の文字又は文字の組み合わせを入力する増設機入力手段と、
前記文字を前記表示手段に表示させるとともに、前記増設機入力手段により入力された前記文字又は前記文字の組み合わせに基づいて決定されるＩＤを前記インターホン親機へ送信する増設機制御手段とを設ける一方、
前記インターホン親機に、
受信したＩＤを記憶する親機記憶手段と、
前記受信したＩＤにもとづき前記増設インターホン親機を識別する親機制御手段とを設けた
ことを特徴とするインターホン装置。
【請求項２】
前記インターホン親機において、前記親機記憶手段に、前記増設機記憶手段に記憶されている前記文字と同様の文字を記憶させるとともに、前記表示手段に表示された複数の前記文字から任意の文字又は文字の組み合わせを入力する親機入力手段を設け、
前記親機制御手段が、前記文字を前記表示手段に表示させるとともに、前記親機入力手段により文字又は文字の組み合わせが入力されると、その文字又は文字の組み合わせ基づいて決定されたＩＤを有する前記増設インターホン親機を呼び出す制御を行うことを特徴とする請求項１に記載のインターホン装置。
【請求項３】
前記インターホン親機において、前記親機制御手段は、前記ＩＤを受信すると、前記親機記憶手段に既に記憶されているＩＤと受信したＩＤとに重複があるか否かを判断するとともに、重複がある場合には受信したＩＤの送信元となる前記増設インターホン親機へエラー信号を送信する一方、
前記増設インターホン親機に、前記エラー信号を受信すると、前記増設機入力手段により入力された前記文字又は前記文字の組み合わせが既に使用されている旨を報知する報知手段を設けたことを特徴とする請求項１又は２に記載のインターホン装置。
【請求項４】
玄関等に設置され、居住者を呼び出すためのインターホン子機と、居室内等に設置され、前記インターホン子機と通話可能に接続されたインターホン親機と、前記インターホン親機から直列又は並列に増設され、前記インターホン子機及び前記インターホン親機により呼び出し可能な増設インターホン親機とからなり、前記インターホン親機及び前記増設インターホン親機に、前記増設インターホン親機を識別するための識別表示を表示可能な表示手段を設けたインターホン装置であって、
前記増設インターホン親機に、
前記識別表示を複数態様記憶する増設機記憶手段と、
前記表示手段に表示された複数の前記識別表示から任意の識別表示を選択して入力する増設機入力手段と、
前記識別表示を前記表示手段に表示させるとともに、前記増設機入力手段により入力された前記識別表示に基づいて決定されるＩＤを前記インターホン親機へ送信する増設機制御手段とを設ける一方、
前記インターホン親機に、
受信したＩＤを記憶する親機記憶手段と、
前記受信したＩＤにもとづき前記増設インターホン親機を識別する親機制御手段とを設けた
ことを特徴とするインターホン装置。
【請求項５】
前記インターホン親機において、前記親機記憶手段に、前記増設機記憶手段に記憶されている前記識別表示と同様の識別表示を記憶させるとともに、前記表示手段に表示された複数の前記識別表示から任意の識別表示を選択して入力する親機入力手段を設け、
前記親機制御手段が、前記識別表示を前記表示手段に表示させるとともに、前記親機入力手段により識別表示が入力されると、その識別表示に基づいて決定されたＩＤを有する前記増設インターホン親機を呼び出す制御を行うことを特徴とする請求項４に記載のインターホン装置。
【請求項６】
前記インターホン親機において、前記親機制御手段は、前記ＩＤを受信すると、前記親機記憶手段に既に記憶されているＩＤと受信したＩＤとに重複があるか否かを判断するとともに、重複がある場合には受信したＩＤの送信元となる前記増設インターホン親機へエラー信号を送信する一方、
前記増設インターホン親機に、前記エラー信号を受信すると、前記増設機入力手段により入力された前記識別表示が既に使用されている旨を報知する報知手段を設けたことを特徴とする請求項４又は５に記載のインターホン装置。
【発明の詳細な説明】
【技術分野】
【０００１】
本発明は、玄関等に設置されるインターホン子機と、居室内等に設置されるインターホン親機と、インターホン親機に増設される増設インターホン親機とからなるインターホン装置に関するものである。
【背景技術】
【０００２】
従来周知のインターホン装置においては、１つのインターホン親機に複数の増設インターホン親機を並列又は直列に接続する場合がある。このように複数の増設インターホン親機が接続されるインターホン親機では、たとえば特許文献１に記載されているような方法で増設インターホン親機を識別していた。つまり、各増設インターホン親機にＩＤ設定用のディップスイッチを設け、当該ディップスイッチを用いて各増設インターホン親機毎に固有のＩＤを設定する。一方、インターホン親機では、上記ＩＤに対応させて各増設インターホン親機毎に同様のＩＤを別途入力し、記憶させる。そして、増設インターホン親機を呼び出す際には、呼び出したい増設インターホン親機に割り振られているＩＤをもとに呼び出し動作が実行され、インターホン親機にて入力・記憶されているＩＤと、呼び出し対象となる増設インターホン親機にてディップスイッチにより設定されているＩＤとの一致をもって通話が可能となっていた。
【先行技術文献】
【特許文献】
【０００３】
【特許文献１】特開２００４−２０１２５０号公報
【発明の概要】
【発明が解決しようとする課題】
【０００４】
しかしながら、上述したようにディップスイッチを用いて設定する場合、インターホン親機側と、増設インターホン親機側とで夫々ＩＤ設定作業を行う必要があり、ＩＤの設定ミスによって呼び出す側と呼び出される側とにおいてＩＤが不一致となったり、既に使用しているＩＤを重複して使用してしまう等の事態が起こりやすく、ＩＤ設定作業が非常に煩わしいという問題がある。また、設定作業後に呼び出し動作を実行しなければ上記設定ミスを検知することができないため、使い勝手にも課題を抱えている。
【０００５】
そこで、本発明は、上記問題に鑑みなされたものであって、非常に容易に且つ正確にＩＤ設定を行うことができ、使い勝手に優れたインターホン装置を提供しようとするものである。
【課題を解決するための手段】
【０００６】
上記目的を達成するために、本発明のうち請求項１に記載の発明は、玄関等に設置され、居住者を呼び出すためのインターホン子機と、居室内等に設置され、インターホン子機と通話可能に接続されたインターホン親機と、インターホン親機から直列又は並列に増設され、インターホン子機及びインターホン親機により呼び出し可能な増設インターホン親機とからなり、インターホン親機及び増設インターホン親機に、文字を表示可能な表示手段を設けたインターホン装置であって、増設インターホン親機に、文字を複数記憶する増設機記憶手段と、表示手段に表示された複数の文字から任意の文字又は文字の組み合わせを入力する増設機入力手段と、文字を表示手段に表示させるとともに、増設機入力手段により入力された文字又は文字の組み合わせに基づいて決定されるＩＤをインターホン親機へ送信する増設機制御手段とを設ける一方、インターホン親機に、受信したＩＤを記憶する親機記憶手段と、受信したＩＤにもとづき増設インターホン親機を識別する親機制御手段とを設けたことを特徴とする。
この構成によれば、インターホン親機に増設インターホン親機を増設する際、増設インターホン親機において増設機入力手段により文字又は文字の組み合わせを入力するだけで自身のＩＤを設定することができるとともに、当該ＩＤがインターホン親機へ送信されて、インターホン親機においても増設インターホン親機を識別するためのＩＤ設定がなされることになる。したがって、増設インターホン親機側、及びインターホン親機側において夫々ＩＤを設定する作業が必要であった従来と比較して、増設インターホン親機側でのみＩＤ設定を行えばよく、ＩＤ設定作業が非常に簡易となるし、ＩＤの設定ミス（ＩＤの入力ミス等により増設インターホン親機側とインターホン親機側とで設定されたＩＤが不一致となる事態）を確実に防止することができる。
【０００７】
請求項２に記載の発明は、請求項１に記載の発明において、インターホン親機において、親機記憶手段に、増設機記憶手段に記憶されている文字と同様の文字を記憶させるとともに、表示手段に表示された複数の文字から任意の文字又は文字の組み合わせを入力する親機入力手段を設け、親機制御手段が、文字を表示手段に表示させるとともに、親機入力手段により文字又は文字の組み合わせが入力されると、その文字又は文字の組み合わせ基づいて決定されたＩＤを有する増設インターホン親機を呼び出す制御を行うことを特徴とする。
この構成によれば、インターホン親機にも同様の文字を記憶させ、親機入力手段により文字又は文字の組み合わせを入力するだけで、その文字又は文字の組み合わせに基づいて決定されたＩＤを有する増設インターホン親機を呼び出すことができる。つまり、増設インターホン親機のＩＤ設定に使用した文字又は文字の組み合わせをそのまま呼び出し時にも使用することができるため、１番や２番等の数字のみによって管理されているものと比較して、使用者が呼び出す増設インターホン親機を間違えにくく、使い勝手を向上することができる。
【０００８】
請求項３に記載の発明は、請求項１又は２に記載の発明において、インターホン親機において、親機制御手段は、ＩＤを受信すると、親機記憶手段に既に記憶されているＩＤと受信したＩＤとに重複があるか否かを判断するとともに、重複がある場合には受信したＩＤの送信元となる増設インターホン親機へエラー信号を送信する一方、増設インターホン親機に、エラー信号を受信すると、増設機入力手段により入力された文字又は文字の組み合わせが既に使用されている旨を報知する報知手段を設けたことを特徴とする。
この構成によれば、増設インターホン親機の増設時に設定しようとしたＩＤが既設の他の増設インターホン親機のＩＤと重複した場合に、作業者に対してエラー報知がなされるため、増設インターホン親機同士でＩＤが重複してしまう事態を確実に防止できる。
【０００９】
また、上記目的を達成するために、本発明のうち請求項４に記載の発明は、玄関等に設置され、居住者を呼び出すためのインターホン子機と、居室内等に設置され、インターホン子機と通話可能に接続されたインターホン親機と、インターホン親機から直列又は並列に増設され、インターホン子機及びインターホン親機により呼び出し可能な増設インターホン親機とからなり、インターホン親機及び増設インターホン親機に、増設インターホン親機を識別するための識別表示を表示可能な表示手段を設けたインターホン装置であって、増設インターホン親機に、識別表示を複数態様記憶する増設機記憶手段と、表示手段に表示された複数の識別表示から任意の識別表示を選択して入力する増設機入力手段と、識別表示を表示手段に表示させるとともに、増設機入力手段により入力された識別表示に基づいて決定されるＩＤをインターホン親機へ送信する増設機制御手段とを設ける一方、インターホン親機に、受信したＩＤを記憶する親機記憶手段と、受信したＩＤにもとづき増設インターホン親機を識別する親機制御手段とを設けたことを特徴とする。
この構成によれば、インターホン親機に増設インターホン親機を増設する際、増設インターホン親機において増設機入力手段により識別表示を選択し入力するだけで自身のＩＤを設定することができるとともに、当該ＩＤがインターホン親機へ送信されて、インターホン親機においても増設インターホン親機を識別するためのＩＤ設定がなされることになる。したがって、増設インターホン親機側、及びインターホン親機側において夫々ＩＤを設定する作業が必要であった従来と比較して、増設インターホン親機側でのみＩＤ設定を行えばよく、ＩＤ設定作業が非常に簡易となるし、ＩＤの設定ミス（ＩＤの入力ミス等により増設インターホン親機側とインターホン親機側とで設定されたＩＤが不一致となる事態）を確実に防止することができる。
【００１０】
請求項５に記載の発明は、請求項４に記載の発明において、インターホン親機において、親機記憶手段に、増設機記憶手段に記憶されている識別表示と同様の識別表示を記憶させるとともに、表示手段に表示された複数の識別表示から任意の識別表示を選択して入力する親機入力手段を設け、親機制御手段が、識別表示を表示手段に表示させるとともに、親機入力手段により識別表示が入力されると、その識別表示に基づいて決定されたＩＤを有する増設インターホン親機を呼び出す制御を行うことを特徴とする。
この構成によれば、インターホン親機にも同様の識別表示を記憶させ、親機入力手段により識別表示を選択し入力するだけで、その識別表示に基づいて決定されたＩＤを有する増設インターホン親機を呼び出すことができる。つまり、増設インターホン親機のＩＤ設定に使用した識別表示をそのまま呼び出し時にも使用することができるため、１番や２番等の数字のみによって管理されているものと比較して、使用者が呼び出す増設インターホン親機を間違えにくく、使い勝手を向上することができる。
【００１１】
請求項６に記載の発明は、請求項４又は５に記載の発明において、インターホン親機において、親機制御手段は、ＩＤを受信すると、親機記憶手段に既に記憶されているＩＤと受信したＩＤとに重複があるか否かを判断するとともに、重複がある場合には受信したＩＤの送信元となる増設インターホン親機へエラー信号を送信する一方、増設インターホン親機に、エラー信号を受信すると、増設機入力手段により入力された識別表示が既に使用されている旨を報知する報知手段を設けたことを特徴とする。
この構成によれば、増設インターホン親機の増設時に設定しようとしたＩＤが既設の他の増設インターホン親機のＩＤと重複した場合に、作業者に対してエラー報知がなされるため、増設インターホン親機同士でＩＤが重複してしまう事態を確実に防止できる。
【発明の効果】
【００１２】
本発明によれば、増設インターホン親機側、及びインターホン親機側において夫々ＩＤを設定する作業が必要であった従来と比較して、増設インターホン親機側でのみＩＤ設定を行えばよく、ＩＤ設定作業が非常に簡易となるし、ＩＤの設定ミス（ＩＤの入力ミス等により増設インターホン親機側とインターホン親機側とで設定されたＩＤが不一致となる事態）を確実に防止することができる。
【図面の簡単な説明】
【００１３】
【図１】インターホン装置１を示した説明図である。
【図２】インターホン親機２の制御機構を簡略に示したブロック構成図である。
【図３】増設インターホン親機３の制御機構を簡略に示したブロック構成図である。
【発明を実施するための形態】
【００１４】
以下、本発明の実施形態について図面をもとに説明する。
インターホン装置１は、玄関等に設置され、来訪者が居住者を呼び出す等するためのインターホン子機５と、居室内等に設置され、インターホン子機５からの呼び出しに応答するためのインターホン親機２と、インターホン親機２とは別の居室内等に設置され、インターホン親機２同様、インターホン子機５からの呼び出しに応答可能な増設インターホン親機３、３・・とを通話可能に接続してなる。
【００１５】
インターホン子機５は、インターホン親機２及び増設インターホン親機３、３・・を呼び出すための呼び出しボタン９、インターホン親機２や増設インターホン親機３、３・・との間で通話するためのマイク１１及びスピーカ１３、来訪者を撮像するためのカメラ１５等を備えている。また、インターホン子機５には、インターホン親機２との間での通話動作等を制御する子機制御部（図示せず）が内蔵されている。このようなインターホン子機５では、呼び出しボタン９の押し込み操作をもって、カメラ１５による撮像動作を所定時間にわたって実行するとともに、後述するインターホン親機２及び増設インターホン親機３、３・・の呼び出し動作を実行する。そして、インターホン親機２や増設インターホン親機３における応答操作（たとえば、通話ボタンの操作）をもって、応答操作されたインターホン親機２又は増設インターホン親機３との間で通話を可能する。
【００１６】
一方、インターホン親機２は、カメラ１５が撮像した映像を表示したり、増設インターホン親機３を呼び出したり等するためのタッチパネル式のモニター１６と、インターホン子機５や増設インターホン親機３との間で通話するためのマイク１７及びスピーカ１８からなる通話部１９と、図示しない通話ボタンとを備えている。また、インターホン親機２には、インターホン親機２における表示動作や通話動作を制御する親機制御部２０、増設インターホン親機３のＩＤを記憶する記憶部２１、後述するＩＤ変換テーブル２２等が内蔵されている。このようなインターホン親機２では、上記インターホン子機５において呼び出しボタン９が操作されると、カメラ１５が撮像した映像をモニター１６に表示する。また、インターホン子機５からの呼び出しに対して通話ボタンを操作する等により、インターホン子機５との間で通話が可能となる。さらに、インターホン親機２では、タッチパネルを操作することで、複数の増設インターホン親機３、３・・の中から１つの増設インターホン親機３を選択して呼び出し可能となっている。加えて、増設インターホン親機３からの呼び出しに対しても、通話ボタンを操作する等により応答可能となっている。尚、２３は、インターホン子機５又は増設インターホン親機３を通話可能に接続するための通信Ｉ／Ｆ回路である。また、記憶部２１には、後述する増設インターホン親機３を呼び出す際に使用する文字や識別表示、各種メッセージ等が予め記憶されている。
【００１７】
また、増設インターホン親機３は、インターホン親機２と略同様に構成される（要部ではない通話部１９や通信Ｉ／Ｆ回路２３については、インターホン親機２と同一の符号を付す）ものであって、タッチパネル式のモニター２５やマイク１７及びスピーカ１８からなる通話部１９、図示しない通話ボタン等を備えている。さらに、増設インターホン親機３には、自身の通話動作や表示動作等の各種動作を制御する増設親機制御部２９が内蔵されているとともに、自身のＩＤを設定するためのＩＤ変換テーブル３１、自身のＩＤを記憶するための記憶部３３等も内蔵されている。このような増設インターホン親機３においても、上記インターホン子機５にて呼び出しボタン９が操作されると、カメラ１５が撮像した映像をモニター２５に表示する。また、インターホン子機５からの呼び出しに対して通話ボタンを操作する等により、インターホン子機５との間で通話が可能となる。さらに、インターホン親機２からの呼び出しに対しても通話ボタンを操作する等により、インターホン親機２との間で通話が可能となる一方、逆にインターホン親機２を呼び出すことも可能となっている。尚、記憶部３３には、インターホン親機２に記憶されている文字や識別表示と同様で後述するＩＤ設定に係る文字や識別表示が予め記憶されているとともに、エラーメッセージ等の各種メッセージ等も予め記憶されている。また、ＩＤ変換テーブル３１は、上記インターホン親機２のＩＤ変換テーブル２２と同じものである。
【００１８】
ここで、本発明の要部となる増設インターホン親機３を増設する際のＩＤ設定、及びインターホン親機２からの増設インターホン親機３の呼び出しに係る制御について詳述する。
インターホン装置１において、増設インターホン親機３を増設するにあたり、増設インターホン親機３の電源を投入する又は通信Ｉ／Ｆ回路２３を介して他の増設インターホン親機３等に接続すると、増設親機制御部２９は、まずＩＤ設定に係るプログラムを実行し、図１に示すような入力画面をモニター２５に表示する。すなわち、記憶部３３に記憶している複数の文字ａ１、ａ２・・（ここでは、Ａ〜Ｚのアルファベット）、及び複数の識別表示ｂ１、ｂ２・・（ここでは、寝室、子供部屋、台所等）がモニター２５に表示されることになる。
【００１９】
次に、たとえば増設インターホン親機３を設置する居室が寝室である場合には、モニター２５に表示されている複数の識別表示ｂ１、ｂ２・・の中から寝室ｂ１を選択する。すると、増設親機制御部２９は、ＩＤ変換テーブル３１を参酌して、識別表示としての寝室ｂ１に予め対応付けられているＩＤ（たとえば、０００００００１）を読み出し、当該ＩＤを記憶部３３に記憶する。また、読み出したＩＤをインターホン親機２へ送信する。
一方、たとえば子供部屋が複数ある等により、増設インターホン親機３に名称を入力したい（たとえば、ＴＡＲＯ）場合には、モニター２５に表示されている複数の文字ａ１、ａ２・・から、ここでは「Ｔ」「Ａ」「Ｒ」「Ｏ」を順に入力する。すると、増設親機制御部２９は、ＩＤ変換テーブル３１を参酌して、予め各文字に対応付けられているＩＤを組み合わせる（たとえば、「Ａ」＝０１、「Ｂ」＝０２、・・、「Ｚ」＝２６の場合、「ＴＡＲＯ」＝２００１１８１５とする）等して自身のＩＤを設定し、記憶部３３に記憶する。また、上記同様、設定したＩＤをインターホン親機２へ送信する。尚、ＩＤの設定後、たとえば通信Ｉ／Ｆ回路２３が正確に接続されていない等により、インターホン親機２へＩＤを送信できない場合、増設親機制御部２９は、記憶部３３に記憶されているエラーメッセージ（たとえば、「本機は接続されていません」）を読み出して、モニター２５に表示する。
【００２０】
また、インターホン親機２では、増設インターホン親機３からＩＤを受信すると、受信したＩＤと既に記憶部２１に記憶されている他の増設インターホン親機３のＩＤとを比較し、ＩＤの重複がないかを調べ、重複がない場合には、受信したＩＤを記憶部２１に記憶する。一方、重複がある場合には、ＩＤを送信してきた増設インターホン親機３に対してエラー信号を送信し、ＩＤの変更設定を促す。尚、増設インターホン親機３では、エラー信号を受信すると、増設親機制御部２９が記憶部３３からエラーメッセージ（たとえば、「その名称は既に使用されています」）を読み出し、モニター２５に表示する。
【００２１】
以上のようにしてインターホン親機２に増設インターホン親機３のＩＤを記憶させた後、当該増設インターホン親機３を呼び出したい場合には、記憶部２１に記憶されている文字及び識別表示をモニター１６に表示させる。それから、呼び出したい増設インターホン親機３のＩＤとして設定した識別表示を選択（たとえば「寝室」を選択）又は文字を入力（たとえば「ＴＡＲＯ」と入力）する。すると、親機制御部２０は、ＩＤ変換テーブル２２を参酌し、選択された識別表示又は入力された文字の組み合わせをＩＤに変換するとともに、既に記憶部２１に記憶されているＩＤの中に、変換したＩＤと一致するＩＤがあるか否かを確認する。そして、一致するＩＤがある場合には、当該ＩＤにもとづいて複数の増設インターホン親機３、３・・のうちから呼び出したい増設インターホン親機３が識別され、呼び出されることになる。一方、変換したＩＤと一致するＩＤがない場合、親機制御部２０は、記憶部２１からエラーメッセージ（たとえば、「その名称は登録されていません」）を読み出し、モニター１６に表示して識別表示の再選択又は文字の再入力を促す。
【００２２】
上述したようなインターホン装置１によれば、増設インターホン親機３に、複数の文字及び複数態様の識別表示を記憶した記憶部３３を設けるとともに、当該文字や識別表示をＩＤに変換するためのＩＤ変換テーブル３１を設けている。そして、新たに増設インターホン親機３を増設する際、増設インターホン親機３において文字の組み合わせを入力又は所定の識別表示を選択するだけで自身のＩＤが設定されるとともに、増設親機制御部２９により当該ＩＤがインターホン親機２へ送信されて、インターホン親機２においても増設インターホン親機３を識別するためのＩＤ設定が行われるようにした。したがって、増設インターホン親機側、及びインターホン親機側において夫々ＩＤを設定する作業が必要であった従来と比較して、増設インターホン親機３側でのみＩＤ設定を行えばよく、ＩＤ設定作業が非常に簡易となるし、ＩＤの設定ミス（ＩＤの入力ミス等により増設インターホン親機側とインターホン親機側とで設定されたＩＤが不一致となる事態）を確実に防止することができる。
【００２３】
また、増設インターホン親機３においてＩＤ設定（すなわち、文字の組み合わせを入力又は所定の識別表示を選択）後、設定されたＩＤはインターホン親機２へ送信され、インターホン親機２において既に設定済みの他の増設インターホン親機３のＩＤと重複していないかが確認される。そして、重複している場合には、インターホン親機２から増設インターホン親機３へエラー信号が送信され、増設インターホン親機３においてエラーメッセージを表示する等のＩＤの再設定を促す報知動作が実行される。したがって、増設インターホン親機３、３・・同士でＩＤが重複してしまう事態を確実に防止できる。
【００２４】
さらに、インターホン親機２にも同様の文字及び識別表示を記憶させるとともに、文字や識別表示を増設インターホン親機３と同態様でＩＤ変換するＩＤ変換テーブル２２を設けており、インターホン親機２から増設インターホン親機３を呼び出す際には、インターホン親機２において呼び出したい増設インターホン親機３の名称（ＩＤ設定の際に入力又は選択した名称）を入力又は選択するだけで、所望の増設インターホン親機３を呼び出すことができる。つまり、ＩＤの設定に使用した文字の組み合わせや識別表示をそのまま呼び出し時にも使用することができるため、１番や２番等の数字のみによって管理されているものと比較して、使用者が呼び出す増設インターホン親機３を間違えにくく、使い勝手を向上することができる。
加えて、増設インターホン親機３を呼び出す際に、インターホン親機２に記憶されていないＩＤ（文字の組み合わせ又は識別表示）が入力又は選択されると、その旨をエラーメッセージ等により報知するため、使い勝手の更なる向上を図ることができる。
【００２５】
なお、本発明に係るインターホン装置は、上記実施形態の態様に何ら限定されるものではなく、インターホン親機２、増設インターホン親機３、及びインターホン子機５に係る構成を、本発明の趣旨を逸脱しない範囲で、必要に応じて適宜変更することができる。
【００２６】
たとえば、インターホン親機２において増設インターホン親機３を呼び出すための識別表示を表示するにあたり、記憶部２１に記憶されているＩＤに対応した識別表示しか表示しない構成（したがって、新たに増設インターホン親機３が増設されると、呼び出し表示時に増設した増設インターホン親機３に対応する識別表示が表示されるようになる構成）としてもよい。また、増設インターホン親機３において文字の組み合わせを入力した場合に、インターホン親機２において、ＩＤに対応する文字の組み合わせを識別表示として新たに作成して追加記憶し、呼び出し時に選択肢の１つとして当該識別表示を表示するように構成することも可能である。
【００２７】
さらに、ＩＤ設定時に文字を入力するにあたって、必ずしも複数の文字を入力する必要はなく１文字でもよいし、文字はアルファベットに限らず、平仮名や片仮名、数字、漢字等であっても何ら問題はない。また、ＩＤ設定を、文字の入力のみ又は識別表示の選択のみに構成することも当然可能である。さらにまた、上記実施形態では文字を入力したり識別表示を選択する手段をタッチパネル式モニター１６、２５としているが、タッチパネル式モニターに代えてテンキーや各種キー、スイッチ等を入力手段又は選択手段として設け、このような入力手段又は選択手段により文字の入力や識別表示の選択を行うようにしても何ら問題はない。
加えて、ＩＤの重複等の各種エラーの報知に関し、上記実施形態ではエラーメッセージを表示する構成を採用しているが、ランプの点灯や点滅によりエラーを報知してもよいし、音声を用いたエラー報知を採用することも当然可能である。
【符号の説明】
【００２８】
１・・インターホン装置、２・・インターホン親機、３・・増設インターホン親機、５・・インターホン子機、１６・・モニター（表示手段、親機入力手段）、２０・・親機制御部（親機制御手段）、２１・・記憶部（親機記憶手段）、２２・・ＩＤ変換テーブル（親機制御手段）、２５・・モニター（表示手段、増設機入力手段）、２９・・増設親機制御部（増設機制御手段）、３１・・ＩＤ変換テーブル（増設機制御手段）、３３・・記憶部（増設機記憶手段）。
【図１】
2010177803.tif 000003
【図２】
2010177803.tif 000004
【図３】
2010177803.tif 000005